(57)【特許請求の範囲】
【請求項１】
便器本体と尿検査装置を含む自動集尿及び検査可能便器であって、前記便器本体は便器ボールを有し、前記便器ボールの内壁には一段の集尿槽が設けられ、前記集尿槽の長さは、便器ボールの内壁の周長の５分の１から２分の１であり、集尿槽の低い箇所に位置する一端には集尿口が設けられ、集尿口内には弁装置が設けられており、前記集尿口の下面には下へ延伸する集尿管が設けられ、前記集尿管は前記尿検査装置の集尿カップに連通し、
前記尿検査装置は、尿分配装置、検査液分配装置、反応装置、洗浄装置を更に含み、
前記尿分配装置は、尿分配計量ポンプ、尿分配滑りヘッド、駆動スクリュー、駆動モータを含み、前記駆動モータは駆動スクリューを連動させ、駆動スクリューは尿分配滑りヘッドを連動させて摺動させており、
前記検査液分配装置は、検査液付加装置、検査液搬送計量ポンプ、検査液分配管路を含み、前記検査液分配管路には検査液分配孔が設けられ、検査液付加装置は検査液搬送計量ポンプと検査液分配管路に連結しており、
前記反応装置は、検査カップ、検査カップホルダを含み、前記検査カップホルダと集尿カップは同一の回転軸に設けられており、
前記洗浄装置は、洗浄ポンプ、汚水排出ポンプ、洗浄回転モータ、洗浄管路を含み、前記洗浄管路には洗浄噴射孔が設けられており、
前記尿分配滑りヘッド、検査液分配管路は検査カップホルダの真上に設けられ、前記洗浄管路は検査カップホルダの真下に設けられており、前記洗浄回転モータは回転軸を駆動して、検査カップホルダと集尿カップを連動させて反転させており、毎回検査が完了すると、検査カップホルダと集尿カップを回転させて、下方の洗浄噴射孔により洗浄する、ことを特徴とする自動集尿及び検査可能便器。
【発明の詳細な説明】
【技術分野】
【０００１】
本発明は医療器械分野に属し、具体的には自動集尿及び検査可能便器に関する。
【背景技術】
【０００２】
従来の尿生化学検査では、通常病院で専門員が行う必要があった。また、集尿は人為的操作が必要であるため、尿検査が非常に不便であった。
【０００３】
本発明の早期出願の中国特許番号ＣＮ１０１７８７７３０Ｂの公報では、インテリジェント自動尿検査情報表示便器が開示されており、自動集尿と自動検査が可能であるが、集尿構造が複雑で、尿の収集操作が人々の日常で便器を使用する習慣とあまり合わなくなる。本発明の早期出願の中国特許番号ＣＮ１０２０４１８４４Ｂでは、インテリジェント検査可能便器の集尿構造が開示され、人々が日常で便器を使用する習慣に合う集尿構造が設けられているが、集尿構造は環状構造であるため、尿が溜まりやすく、清浄しにくくなり、かつ集尿構造に合わせる尿検査装置がない。
【発明の概要】
【発明が解決しようとする課題】
【０００４】
本発明は上記の問題点を解決するため、自動集尿及び検査可能便器を提供する。
【課題を解決するための手段】
【０００５】
本発明の提供する自動集尿及び検査可能便器は、便器本体と尿検査装置を含む。前記便器本体は便器ボールを有し、前記便器ボールの内壁には一段の集尿槽が設けられ、前記集尿槽の長さは、便器ボールの内壁の周長の５分の１から２分の１であり、集尿槽の低い箇所に位置する一端には集尿口が設けられ、集尿口内には弁装置が設けられており、前記集尿口の下面には下へ延伸する集尿管が設けられ、前記集尿管は前記尿検査装置の集尿カップに連通する、ことを特徴とする。
【０００６】
好ましい実施手段として、前記尿検査装置は、尿分配装置、検査液分配装置、反応装置、洗浄装置を更に含む。
前記尿分配装置は、尿分配計量ポンプ、尿分配滑りヘッド、駆動スクリュー、駆動モータを含み、前記駆動モータは駆動スクリューを連動させ、駆動スクリューは尿分配滑りヘッドを連動させて摺動させる。
【０００７】
前記検査液分配装置は、検査液付加装置、検査液搬送計量ポンプ、検査液分配管路を含み、前記検査液分配管路には検査液分配孔が設けられ、検査液付加装置は検査液搬送計量ポンプと検査液分配管路に連結する。
【０００８】
前記反応装置は、検査カップ、検査カップホルダを含み、前記検査カップホルダと集尿カップは同一の回転軸に設けられている。
【０００９】
前記洗浄装置は、洗浄ポンプ、汚水排出ポンプ、洗浄回転モータ、洗浄管路を含み、前記洗浄管路には洗浄噴射孔が設けられている。
【００１０】
前記尿分配滑りヘッド、検査液分配管路は検査カップホルダの真上に設けられ、前記洗浄管路は検査カップホルダの真下に設けられており、前記洗浄回転モータは回転軸を駆動して、検査カップホルダと集尿カップを連動させて反転させており、毎回検査が完了すると、検査カップホルダと集尿カップを回転させて、下方の洗浄噴射孔により洗浄する。
【００１１】
本発明の下記のような利点を有する。
１、本発明の装置の集尿槽の設置が合理的で、集尿しやすく、かつ尿が溜まりにくくなって、洗浄しやすくなる。
２、本発明の装置は本装置に合わせる尿検査装置に連通されて、自動集尿と自動検査を実現することができる。
【図面の簡単な説明】
【００１２】
【図１】図１は、本発明の自動集尿及び検査可能便器の平面図である。
【図２】図２は、本発明の他の実施例における平面図である。
【図３】図３は、尿検査装置の平面における拡大図である。
【図４】図４は、尿検査装置の正面における拡大図である。
【発明を実施するための形態】
【００１３】
下記では図面を用いて本発明について詳細に説明し、本明細書での実施例の用途は本発明を説明するためであり、本発明の技術手段を制限するものではない。
【００１４】
図１、図３に示すように、自動集尿及び検査ができる便器は便器本体１と尿検査装置２を含む。前記便器本体は便器ボール１１を含み、前記便器ボール１１の内壁には一段の集尿槽１２ａが設けられ、前記集尿槽の長さは、便器ボールの内壁の周長の５分の１から２分の１である。図１は集尿槽１２ａの実施例を示し、集尿槽１２ａの長さは便器ボールの内壁の周長の約５分の１である。図２は集尿槽１２ｂの他の実施例であり、集尿槽１２ｂの長さは便器ボールの内壁の周長の約２分の１である。集尿槽は図２に示す位置に設けられてもよく、他の半分の半円形箇所に設けられてもよい。集尿口は集尿槽の低い一端に設けられ、尿は集尿槽領域に流されるとき、自動で集尿槽内に収集されて、低い位置の集尿口に流出される。中国特許番号ＣＮ１０２０４１８４４Ｂの公報では、インテリジェント検査可能便器の集尿構造が開示され、人々が日常便器を使用する習慣に合う集尿構造が設けられているが、集尿構造は環状構造で、かつ便器ボールを一周回るように、３６０度に設けられているため、尿が溜まりやすくなって、清浄しにくくなる。実際に、長期間の使用により、集尿槽の長さは一周回る必要がないことがわかった。任意の長さで設けることで、集尿機能を実現することができ、尿が容易に溜まることなく、洗浄しやすくなる。集尿槽の低い箇所に位置する一端には集尿口１３が設けられており、該集尿口１３内には弁装置（未図示）が設けられ、前記集尿口１３の下面には下へ延伸する集尿管（未図示）が設けられ、前記集尿管は尿検査装置２の集尿カップ２１に連通する。  
【００１５】
図３と図４に示すように、尿検査装置は集尿カップ２１を含み、尿分配装置２２、検査液分配装置２３、反応装置２４、洗浄装置２５を更に含む。
【００１６】
前記尿分配装置２２は、尿分配計量ポンプ２２１、尿分配滑りヘッド２２２、駆動スクリュー２２３、駆動モータ２２４を含み、前記駆動モータ２２４は駆動スクリュー２２３を連動させ、駆動スクリュー２２３は尿分配滑りヘッド２２２を連動させて摺動させる。
【００１７】
前記検査液分配装置２３は、検査液付加装置２３１、検査液搬送計量ポンプ２３２、検査液分配管路２３３を含み、前記検査液分配管路２３３には検査液分配孔２３４が設けられ、検査液付加装置２３１は検査液搬送計量ポンプ２３２と検査液分配管路２３３に連結する。
【００１８】
前記反応装置２４は、検査カップ２４１、検査カップホルダ２４２を含み、前記検査カップホルダ２４２と集尿カップ２１は同一の回転軸２５４に設けられている。
【００１９】
前記洗浄装置２５は、洗浄ポンプ２５１、汚水排出ポンプ２５２、洗浄回転モータ２５３、洗浄管路２５５を含み、前記洗浄管路２５５には洗浄噴射孔２５６が設けられている。
【００２０】
尿分配計量ポンプ２２１は集尿カップ２１内から定量の検査尿を吸引し、尿分配滑りヘッド２２２の摺動を通じて検査カップ２４１に連続的に点滴する。尿分配滑りヘッド２２２、検査液分配管路２３３は検査カップホルダ２４２の真上に設けられ、前記洗浄管路２５５は検査カップホルダ２４２の真下に設けられている。前記洗浄回転モータ２５３は回転軸２５４を駆動して、検査カップホルダ２４２と集尿カップ２１を連動させて反転させ、毎回検査が完了すると、検査カップホルダ２４２と集尿カップ２１を回転させて、下方の洗浄噴射孔２５６により洗浄する。
【００２１】
図４は尿収集及び尿検査装置２の検査カップホルダ２４２の反転時の正面図であり、検査カップホルダ２４２と集尿カップ２１は３６０度の反転が可能で、洗浄する際には、回転軸２５４を回転させて、検査カップホルダ２４２と集尿カップ２１を、洗浄噴射孔２５６に面するように下へ向けて洗浄する。洗浄後の汚水は汚水排出ポンプ２５２を通じて排出される。
【００２２】
本尿検査装置は構造がコンパクトで、配置が合理的で、体積が小さく、集尿構造を有するトイレに合わせて使用することにより、完全に自動化を実現し、集尿、分配、検査、洗浄が自動で完成する。
【００２３】
以上は本発明の好ましい実施形態のみであり、本発明の技術的原理から逸脱しない前提で、種々の改良または修飾を行うことができ、これらの改良または修飾も本発明の保護範囲に含まれることは、当業者にとって明らかである。
【符号の説明】
【００２４】
１、便器本体；１１、便器ボール；１２ａ、１２ｂ、集尿槽；１３、集尿口；２、尿検査装置；２１、集尿カップ；２２、尿分配装置；２２１、尿分配計量ポンプ；２２２、尿分配滑りヘッド；２２３、駆動スクリュー；２２４、駆動モータ；２３、検査液分配装置；２３１、検査液付加装置；２３２、検査液搬送計量ポンプ；２３３、検査液分配管路；２３４、検査液分配孔；２４、反応装置；２４１、検査カップ；２４２、検査カップホルダ；２５、洗浄装置；２５１、洗浄ポンプ；２５２、汚水排出ポンプ；２５３、洗浄回転モータ；２５４、回転軸；２５５、洗浄管路；２５６、洗浄噴射孔。
【図１】
0006379288.tif 000002
【図２】
0006379288.tif 000003
【図３】
0006379288.tif 000004
【図４】
0006379288.tif 000005